(57)【要約】【課題】健全な受配電ユニットから故障した受配電ユニットに対応する負荷に分割して給電、すなわち分割負荷救済できるようにした配電盤を提供する。【解決手段】複数個の配線用遮断器を２つ以上の群に分け、群に分けられた配線用遮断器３Ｂ１１，３Ｂ１１…，３Ｂ１２，３Ｂ１２…の１次側が群に対応して設けられた分割共通母線導体３Ｂ３１，３Ｂ３２にそれぞれ接続され、隣接する分割共通母線導体３Ｂ３１，３Ｂ３２間が母線接続導体３Ｂ４により接続されて構成する。【選択図】    図２
2004236453.tif 000002
【特許請求の範囲】
【請求項１】
複数個の配線用遮断器を２つ以上の群に分け、前記群に分けられた前記配線用遮断器の１次側が前記群に対応して設けられた分割共通母線導体にそれぞれ接続され、隣接する前記分割共通母線導体間が母線接続導体により接続されて構成される配電盤。
【請求項２】
３つ以上の受配電ユニットにそれぞれ変圧ユニット及び配電盤を備えた受配電設備において、
前記配電盤に設けられた複数個の配線用遮断器を２つ以上の群に分け、前記群に分けられた前記配線用遮断器の１次側が前記群に対応して設けられた分割共通母線導体にそれぞれ接続され、
通常時は隣接する前記分割共通母線導体間が母線接続導体により接続されている各受配電ユニットから前記各受配電ユニットに対応する負荷に電力を供給し、
負荷救済時は故障した受配電ユニットの配電盤に設けられた前記母線接続導体により接続された前記分割共通母線導体同士が切り離され、前記切り離された分割共通母線導体が他の受配電ユニットに電気的に接続されて前記他の受配電ユニットから前記故障した受配電ユニットに対応する負荷に電力を供給する受配電設備。
【請求項３】
２つの受配電ユニットにそれぞれ変圧ユニット及び配電盤を備えた受配電設備において、
前記配電盤に設けられた複数個の配線用遮断器を２つ以上の群に分け、前記群に分けられた前記配線用遮断器の１次側が前記群に対応して設けられた分割共通母線導体にそれぞれ接続され、
通常時は隣接する前記分割共通母線導体間が母線接続導体により接続されている各受配電ユニットから前記各受配電ユニットに対応する負荷に電力を供給し、
負荷救済時は故障した受配電ユニットの配電盤に設けられた前記母線接続導体により接続された前記分割共通母線導体同士が切り離され、前記切り離された分割共通母線導体のうちの選択された分割共通母線導体が救済用電源に電気的に接続されて前記救済用電源から前記故障した受配電ユニットに対応する負荷に電力を供給する受配電設備。
【請求項４】
前記群の数は前記受配電ユニットの数から１を差し引いた値である請求項２に記載の受配電設備。
【請求項５】
前記母線接続導体は、前記配電盤に設けられる前記配線用遮断器を収容する収納体からはみ出すように負荷救済時に接続し直される請求項２ないし４のいずれか１項に記載の受配電設備。
【請求項６】
前記母線接続導体は、前記分割共通母線導体とボルトにより締め付けて接続するための導体接続用ボルト貫通孔が設けられ、前記導体接続用ボルト貫通孔が負荷救済時に負荷救済用ケーブルの接続に兼用される請求項２ないし５のいずれか１項に記載の受配電設備。
【発明の詳細な説明】
【０００１】
【産業上の利用分野】
本発明は、ビル、マンション等のような建造物の電気室に設けられる配電盤及びその配電盤を用いた受配電設備に関するものである。
【０００２】
【従来の技術】
ビル、マンション等のような建造物の電気室には受配電設備が収容されており、ここから各階へ動力、電灯負荷等への電力供給を行っている。
【０００３】
図４は従来の受配電設備の単線結線図である。図示するように、受配電設備１′は例えば５つの受配電ユニット２′，３′，４′，５′，６′を備えている。各受配電ユニットは上記建造物に引き込まれた高圧引込線７にそれぞれ接続されており、それぞれ変圧ユニット２ａ，３ａ，４ａ，５ａ，６ａ及び配電盤２ｂ，３ｂ，４ｂ，５ｂ，６ｂを備えている。変圧ユニット２ａはヒューズ付き開閉器２ａ１及び配電用変圧器２ａ２、変圧ユニット３ａはヒューズ付き開閉器３ａ１及び配電用変圧器３ａ２、変圧ユニット４ａはヒューズ付き開閉器４ａ１及び配電用変圧器４ａ２、変圧ユニット５ａはヒューズ付き開閉器５ａ１及び配電用変圧器５ａ２、変圧ユニット６ａはヒューズ付き開閉器６ａ１及び配電用変圧器６ａ２を備えている。配電盤２ｂ，３ｂ，４ｂ，５ｂ，６ｂは、複数個の配線用遮断器２ｂ１，２ｂ１…，３ｂ１，３ｂ１…，４ｂ１，４ｂ１…，５ｂ１，５ｂ１…，６ｂ１，６ｂ１…と、共通母線導体２ｂ２，３ｂ２，４ｂ２，５ｂ２，６ｂ２とをそれぞれ備えている。
【０００４】
上記の配電盤は、複数個の配線用遮断器が筐体内に固定された取付板に取り付けられ、図４に示した配電用変圧器に接続される３相の共通母線導体が筐体内に配設され、全ての配線用遮断器の１次側は共通母線導体と３相の分岐導体によりそれぞれ接続されている（例えば、特許文献１参照）。
【０００５】
【特許文献１】
実開平６−５２３０４号公報
【０００６】
【発明が解決しようとする課題】
ところで、従来の配電盤を用いた受配電設備においては、例えば受配電ユニット２′を構成する変圧ユニット２ａの配電用変圧器２ａ２が故障して電力が供給できなくなった場合、その受配電ユニット２′に接続されている負荷に電力を供給する必要があるために、他の健全な受配電ユニット３′ないし受配電ユニット６′のいずれかから電力を供給、すなわち一括負荷救済するようにしている。負荷救済時には、他の健全な受配電ユニット、例えば受配電ユニット３′の配電用変圧器３ａ２の低圧側と故障した受配電ユニット２′の配電盤２ｂの共通母線導体２ｂ２とを図示しない負荷救済用ケーブルで接続して、受配電ユニット２′が故障しているにも拘わらず、この受配電ユニット２′から電力を供給するようにしている。
【０００７】
しかしながら、負荷救済に対応できるように、受配電ユニット２′，３′，４′，５′，６′を構成する変圧ユニットの配電用変圧器２ａ２，３ａ２，４ａ２，５ａ２，６ａ２の各容量は負荷率１００％を考慮してほぼ２倍としているが、このように容量を２倍とすることは受配電設備のコストアップを招くという問題があり、また、受配電ユニットの数に比例して受配電設備全体のコストアップが比例するという問題がある。
【０００８】
本発明の目的は、健全な受配電ユニットから故障した受配電ユニットに対応する負荷に分割して給電、すなわち分割負荷救済できるようにした配電盤を提供することにある。
【０００９】
本発明の他の目的は、健全な受配電ユニットから故障した受配電ユニットに対応する負荷に分割して給電、すなわち分割負荷救済できるようにした配電盤を用いた受配電設備を提供することにある。
【００１０】
【課題を解決するための手段】
請求項１に記載の発明は、配電盤を、複数個の配線用遮断器を２つ以上の群に分け、群に分けられた配線用遮断器の１次側が群に対応して設けられた分割共通母線導体にそれぞれ接続され、隣接する分割共通母線導体間が母線接続導体により接続されて構成するようにしたものである。
【００１１】
請求項１に記載の発明においては、分割共通母線導体を採用したことにより、健全な受配電ユニットまたは救済用電源から故障した受配電ユニットに対応する負荷に分割して給電、すなわち分割負荷救済に対応させられる。
【００１２】
請求項２に記載の発明は、３つ以上の受配電ユニットにそれぞれ変圧ユニット及び配電盤を備えた受配電設備を対象とし、配電盤に設けられた複数個の配線用遮断器を２つ以上の群に分け、群に分けられた配線用遮断器の１次側が群に対応して設けられた分割共通母線導体にそれぞれ接続され、通常時は隣接する分割共通母線導体間が母線接続導体により接続されている各受配電ユニットから各受配電ユニットに対応する負荷に電力を供給し、負荷救済時は故障した受配電ユニットの配電盤に設けられた母線接続導体が分割共通母線導体から切り離され、切り離された分割共通母線導体が他の受配電ユニットに電気的に接続されて他の受配電ユニットから故障した受配電ユニットに対応する負荷に電力を供給するようにしたものである。
【００１３】
請求項２に記載の発明においては、分割共通母線導体を採用したことにより、健全な受配電ユニットから故障した受配電ユニットに対応する負荷に分割して給電、すなわち分割負荷救済が行え、しかも、受配電ユニットを構成する変圧ユニットの配電用変圧器の各容量低減が行える。
【００１４】
請求項３に記載の発明は、２つの受配電ユニットにそれぞれ変圧ユニット及び配電盤を備えた受配電設備を対象とし、配電盤に設けられた複数個の配線用遮断器を２つ以上の群に分け、群に分けられた配線用遮断器の１次側が群に対応して設けられた分割共通母線導体にそれぞれ接続され、通常時は隣接する分割共通母線導体間が母線接続導体により接続されている各受配電ユニットから各受配電ユニットに対応する負荷に電力を供給し、負荷救済時は故障した受配電ユニットの配電盤に設けられた母線接続導体により接続された割共通母線導体同士が切り離され、切り離された分割共通母線導体のうちの選択された分割共通母線導体が救済用電源に電気的に接続されて救済用電源から故障した受配電ユニットに対応する負荷に電力を供給するようにしたものである。
【００１５】
請求項３に記載の発明においては、分割共通母線導体を採用して分割共通母線導体を選択したことにより、救済用電源から故障した受配電ユニットに対応する負荷の一部に分割して給電、すなわち分割負荷救済が行え、しかも、受配電ユニットを構成する変圧ユニットの配電用変圧器の各容量低減が行える。
【００１６】
請求項４に記載の発明は、群の数を受配電ユニットの数から１を差し引いた値にしたものである。
【００１７】
請求項４に記載の発明においては、受配電ユニットの数から１を差し引いた値としたことにより、受配電ユニットを構成する変圧ユニットの配電用変圧器の各容量低減が最大になる。
【００１８】
請求項５に記載の発明は、母線接続導体を、配電盤に設けられる配線用遮断器を収容する収納体からはみ出すように負荷救済時に接続し直されるようにしたものである。
【００１９】
請求項５に記載の発明においては、母線接続導体を収納体からはみ出すように接続したことにより、負荷救済用ケーブルが容易に接続される。
【００２０】
請求項６に記載の発明は、母線接続導体を、分割共通母線導体とボルトにより締め付けて接続するための導体接続用ボルト貫通孔が設けられ、導体接続用ボルト貫通孔が負荷救済時に負荷救済用ケーブルの接続に兼用されるようにしたものである。
【００２１】
請求項６に記載の発明においては、導体接続用ボルト貫通孔を負荷救済用ケーブルの接続に兼用したことにより、貫通孔の数が減る。
【００２２】
【発明の実施の形態】
図１は本発明に係る配電盤を用いた受配電設備の単線結線図である。図２は本発明に係る配電盤の一実施形態を示す概略構成図で、（Ａ）は上面図、（Ｂ）は正面図である。図１において、図４と同様に、受配電設備１は５つの受配電ユニット２，３，４，５，６を備え、高圧引込線７にそれぞれ接続されており、それぞれ変圧ユニット２Ａ，３Ａ，４Ａ，５Ａ，６Ａ及び配電盤２Ｂ，３Ｂ，４Ｂ，５Ｂ，６Ｂを備えている。変圧ユニット２Ａはヒューズ付き開閉器２Ａ１及び配電用変圧器２Ａ２、変圧ユニット３Ａはヒューズ付き開閉器３Ａ１及び配電用変圧器３Ａ２、変圧ユニット４Ａはヒューズ付き開閉器４Ａ１及び配電用変圧器４Ａ２、変圧ユニット５Ａはヒューズ付き開閉器５Ａ１及び配電用変圧器５Ａ２、変圧ユニット６Ａはヒューズ付き開閉器６Ａ１及び配電用変圧器６Ａ２を備えている。配電盤の１つ、
例えば、配電盤３Ｂは、図２に示すように、第１群の配線用遮断器３Ｂ１１，３Ｂ１１…及び第２群の配線用遮断器３Ｂ１２，３Ｂ１２…が、例えば枠体で構成される収納体３Ｂ２内に固定された取付板（図示しない）に取り付けられており、３相の第１の分割共通母線導体３Ｂ３１，３Ｂ３１，３Ｂ３１と、３相の第２の分割共通母線導体３Ｂ３２，３Ｂ３２，３Ｂ３２とが収納体３Ｂ２内に配設されている。配線用遮断器３Ｂ１１，３Ｂ１１…の１次側は第１の分割共通母線導体３Ｂ３１，３Ｂ３１，３Ｂ３１とそれぞれ接続され、また、配線用遮断器３Ｂ１２，３Ｂ１２…の１次側は第２の分割共通母線導体３Ｂ３２，３Ｂ３２，３Ｂ３２とそれぞれ接続されている。第１の分割共通母線導体３Ｂ３１，３Ｂ３１，Ｂ３１の上端には、配電用変圧器３Ａ２からの３相の引き込み用ケーブル８，８，８（１相分のみ表示）が接続され、第１群の配線用遮断器３Ｂ１１，３Ｂ１１…及び第２群の配線用遮断器３Ｂ１２，３Ｂ１２…の各２次側には、負荷への３相の引き出し用ケーブル９，９，９がそれぞれ接続されている。
【００２３】
通常時は、図３（Ａ）に示すように、第１の分割共通母線導体３Ｂ３１，３Ｂ３１，３Ｂ３１（１相分のみ表示）及び第２の分割共通母線導体３Ｂ３２，３Ｂ３２，３Ｂ３２（１相分のみ表示）が、例えば板状の３相の母線接続導体３Ｂ４，３Ｂ４，３Ｂ４（１相分のみ表示）で、例えばボルト（図示しない）によりそれぞれ接続されている。
【００２４】
負荷救済時、例えば、受配電ユニット３が故障した場合には、図３（Ｂ）に示すように、母線接続導体３Ｂ４が第１の分割共通母線導体３Ｂ３１から切り離され、収納体３Ｂ２からはみ出すように第２の分割共通母線導体３Ｂ３２に接続し直される。また、図２（Ｂ）に示した引き込み用ケーブル８が第１の分割共通母線導体３Ｂ３１の上端から切り離される。その後、これらの母線接続導体３Ｂ４，３Ｂ４，３Ｂ４（１相分のみ表示）に３相の負荷救済用ケーブル１０，１０，１０（１相分のみ表示）の一端は例えばボルト（図示しない）により接続され、他端は他の健全な受配電ユニット、例えば受配電ユニット２の配電用変圧器２Ａ２の低圧側と接続される。また、図示しない負荷救済用ケーブルの一端は、引き込み用ケーブル８が接続されていた第１の分割共通母線導体３Ｂ３１の上端に接続され、他端は他の健全な受配電ユニット、例えば受配電ユニット４の配電用変圧器４Ａ２の低圧側と接続されて、受配電ユニット３が故障しているにも拘わらず、この受配電ユニット３から電力を供給するようにしている。このように、第１群の配線用遮断器３Ｂ１１，３Ｂ１１…及び第２群の配線用遮断器３Ｂ１２，３Ｂ１２…を介して受配電ユニット３に対する負荷に分割して給電、すなわち分割負荷救済できるようになっている。
【００２５】
第１の分割共通母線導体３Ｂ３１及び第２の分割共通母線導体３Ｂ３２には、図２（Ｂ）に示すように、例えばボルト（図示しない）により締め付けて接続するための分割共通母線導体接続用ボルト貫通孔３Ｂ３０がそれぞれ例えば２個及び４個設けられ、母線接続導体３Ｂ４には、図３（Ａ），（Ｂ）に示すように、通常時に分割共通母線導体３Ｂ３１，３Ｂ３２と接続するため、また、負荷救済時に分割共通母線導体３Ｂ３２及び負荷救済用ケーブル１０，１０，１０（１相分のみ表示）と接続するために、例えばボルト（図示しない）により締め付けて接続するための分割共通母線・ケーブル導体接続用ボルト貫通孔３Ｂ４０が例えば１０個設けられており、分割共通母線・ケーブル導体接続用ボルト貫通孔３Ｂ４０は、負荷救済用ケーブル１０，１０，１０（１相分のみ表示）の接続に兼用されている。
【００２６】
上記では、各受配電ユニットに対する各負荷を同容量とし、また、複数個の配線用遮断器を同数で２つの群に分けた場合であるので、受配電ユニット２，３，４，５，６を構成する変圧ユニット２Ａ，３Ａ，４Ａ，５Ａ，６Ａの配電用変圧器２Ａ２，３Ａ２，４Ａ２，５Ａ２，６Ａ２の各容量は、従来では２倍としているが、１．５倍でよいことになる。
【００２７】
また、各受配電ユニットに対する各負荷を同容量とし、また、複数個の配線用遮断器を同数で３つの群に分けた場合、受配電ユニット２，３，４，５，６を構成する変圧ユニットの配電用変圧器２Ａ２，３Ａ２，４Ａ２，５Ａ２，６Ａ２の各容量は、１．３３倍でよいことになり、さらに、配線用遮断器を上記のようにして４つの群に分けた場合、受配電ユニット２，３，４，５，６を構成する変圧ユニットの配電用変圧器２Ａ２，３Ａ２，４Ａ２，５Ａ２，６Ａ２の各容量は、１．２５倍でよいことになり、分け方に応じて容量低減が図られる。
【００２８】
上記のように、５つの受配電ユニットに対し、配線用遮断器を４つの群に分けた場合は、受配電ユニット数５から１を差し引いたことになり、受配電ユニット２，３，４，５，６を構成する変圧ユニットの配電用変圧器２Ａ２，３Ａ２，４Ａ２，５Ａ２，６Ａ２の各容量低減が最大になる。ところで、配電盤の構造、電気室の構造等で制約を受け、配電用変圧器の各容量低減を最大となるように配線用遮断器を分けることができない場合、２または３つの群に分けることになる。
【００２９】
上記の実施形態では、受配電ユニットが３つ以上であったが、受配電ユニットが２つの場合、負荷救済時に分割共通母線導体のうちの選択された分割共通母線導体、例えば、重要な負荷が接続された分割共通母線導体を救済用電源、例えば移動式変電所に電気的に接続し、この救済用電源から電力を供給するようにしてもよい。この場合でも、配線用遮断器の分け方に応じて受配電ユニットの容量低減が図られる。
【００３０】
上記の実施形態では、母線接続導体３Ｂ４は、負荷救済時に収納体３Ｂ２からはみ出すように接続し直されるが、通常時を示す図３（Ａ）のように、収納体２からはみ出さないような配置に接続し直してもよい。
【００３１】
また上記の実施形態では、母線接続導体３Ｂ４に設けられている分割共通母線・ケーブル導体接続用ボルト貫通孔３Ｂ４０は、負荷救済用ケーブル１０の接続に兼用しているが、兼用しなくてもよく、負荷救済用ケーブルの接続端子専用の貫通孔を、この母線接続導体に別途設けてもよい。
【００３２】
さらに上記の実施形態では、負荷救済時に他の健全な受配電ユニットから電力を供給するようにしているが、受配電ユニットの代わりに救済用電源、例えば移動式変電所から電力を供給するようにしてもよい。また、負荷救済時に他の健全な受配電ユニットから全部の分割共通母線導体を介して電力を供給するようにしているが、分割共通母線導体のうちの選択された分割共通母線導体、例えば、重要な負荷が接続された分割共通母線導体を介して電力を供給するようにしてもよい。この場合、上記のような容量低減に加え、配線用遮断器の分け方に応じて受配電ユニットの容量低減がさらに図られる。
【００３３】
【発明の効果】
以上のように、請求項１に記載した発明によれば、分割共通母線導体を採用したことにより、健全な受配電ユニットまたは救済用電源から故障した受配電ユニットに対応する負荷に分割して給電、すなわち分割負荷救済に対応させられるので、この配電盤を用いた受配電設備のコスト低減を図ることができる。
【００３４】
請求項２に記載した発明によれば、分割共通母線導体を採用したことにより、健全な受配電ユニットから故障した受配電ユニットに対応する負荷に分割して給電、すなわち分割負荷救済が行え、しかも、受配電ユニットを構成する変圧ユニットの配電用変圧器の各容量低減が行えるので、受配電設備のコストを低減させることができる。
【００３５】
請求項３に記載した発明によれば、分割共通母線導体を採用して分割共通母線導体を選択したことにより、救済用電源から故障した受配電ユニットに対応する負荷の一部に分割して給電、すなわち分割負荷救済が行え、しかも、受配電ユニットを構成する変圧ユニットの配電用変圧器の各容量低減が行えるので、受配電設備のコストを低減させることができる。
【００３６】
請求項４に記載した発明によれば、受配電ユニットの数から１を差し引いた値としたことにより、受配電ユニットを構成する変圧ユニットの配電用変圧器の各容量低減が最大になるので、受配電設備のコストを最大に低減させることができる。
【００３７】
請求項５に記載の発明によれば、母線接続導体を収納体からはみ出すように接続したこことにより、負荷救済用ケーブルが容易に接続されるので、負荷救済作業が簡素化できる。
【００３８】
請求項６に記載の発明によれば、導体接続用ボルト貫通孔を負荷救済用ケーブルの接続に兼用したことにより、貫通孔の数が減るので、孔開け作業が簡素化できる。
【図面の簡単な説明】
【図１】本発明に係る配電盤を用いた受配電設備の単線結線図である。
【図２】本発明に係る配電盤の一実施形態を示す概略構成図で、（Ａ）は上面図、（Ｂ）は正面図である。
【図３】（Ａ）は通常時の母線接続導体の接続状態を示す詳細図であり、（Ｂ）は負荷救済時の母線接続導体の接続状態を示す詳細図である。
【図４】従来の受配電設備の単線結線図である。
【符号の説明】
１  受配電設備
２，３，４，５，６  受配電ユニット
２Ａ，３Ａ，４Ａ，５Ａ，６Ａ  変圧ユニット
２Ｂ，３Ｂ，４Ｂ，５Ｂ，６Ｂ  配電盤
２Ｂ１１，３Ｂ１１，４Ｂ１１，５Ｂ１１，６Ｂ１１  第１群の配線用遮断器
２Ｂ１２，３Ｂ１２，４Ｂ１２，５Ｂ１２，６Ｂ１２  第２群の配線用遮断器
２Ｂ３１，３Ｂ３１，４Ｂ３１，５Ｂ３１，６Ｂ３１  第１の分割共通母線導体
２Ｂ３２，３Ｂ３２，４Ｂ３２，５Ｂ３２，６Ｂ３２  第２の分割共通母線導体
２Ｂ４，３Ｂ４，４Ｂ４，５Ｂ４，６Ｂ４  母線接続導体
【図１】
2004236453.tif 000003
【図２】
2004236453.tif 000004
【図３】
2004236453.tif 000005
【図４】
2004236453.tif 000006
【手続補正書】
【提出日】平成15年8月22日(2003.8.22)
【手続補正１】
【補正対象書類名】明細書
【補正対象項目名】０００１
【補正方法】変更
【補正の内容】
【０００１】
【発明の属する技術分野】
本発明は、ビル、マンション等のような建造物の電気室に設けられる配電盤及びその配電盤を用いた受配電設備に関するものである。